(57)【要約】    【課題】紐を軽く引き出して荷造り作業を容易に行うことができ、紐を片手で簡単かつ確実に切断できるようにした紐用カッターを提供する。    【解決手段】紐をブロック状に巻回してなる紐ブロックから引き出された紐を切断するのに用いる紐用カッターにおいて、紐ブロック(30)を保持するホルダー(10)と、Ｖ字状のガイド溝(22A)に紐(30A)が挿通されるとともにガイド溝の下方部分で紐を挟んで紐の引き出しに対する制動を与える制動部(22)と、制動部に対して進退可能に設けられ、紐ブロックから引き出された紐が挿通され、制動部に対する位置によって制動部における紐の引き出しに対する制動力を調整する引き出し穴部(21)と、制動部を通った紐が切り刃(23A)に対して下方に引っ張られることによって紐を切断するカッター部(23)とを備える。【選択図】図１
0003139908.tif 000002
【実用新案登録請求の範囲】
【請求項１】
紐(30A)をブロック状に巻回してなる紐ブロック(30)から引き出された紐(30A)を切断するのに用いる紐用カッターにおいて、
上記紐ブロック(30)を保持するホルダー(10)と、
Ｖ字状のガイド溝(22A)に紐(30A)が挿通されるとともに上記ガイド溝(22A)の下方部分で紐(30A)を挟んで紐(30A)の引き出しに対する制動を与える制動部(22)と、
上記制動部(20)に対して進退可能に設けられ、上記紐ブロック(30)から引き出された紐(30A)が挿通され、上記制動部(22)に対する位置によって上記制動部(22)における紐(30A)の引き出しに対する制動力を調整する引き出し穴部(21)と、
上記制動部(22)を通った紐(30A)が切り刃(23A,23A')に対して下方に引っ張られることによって紐(30A)を切断するカッター部(23,23')と、
を備えたことを特徴とする紐用カッター。
【請求項２】
上記ホルダー(10)は上面が開放された籠形状をなし、該ホルダー(10)の上面には取付けプレート(20)が取外し可能に搭載され、該取付けプレート(20)には上記制動部(22)、引き出し穴部(21)及びカッター部(23,23')が取付けられている請求項１記載の紐用カッター。
【請求項３】
上記切り刃(23A,23A')は斜め方向に延び、上記カッター部(23,23')には紐(30A)が下方に引っ張られたときに紐(30A)を切り刃(23A,23A')に押しつけるガイド部(23B,23B')が設けられている請求項１記載の紐用カッター。
【請求項４】
上記ガイド部(23B)は上記カッター部(23)に回転自在に設けられ、上記紐(30A)の下方への引っ張りに応じて回転される回転プレート(であり、該回転プレートにはその回転によって上記紐(30A)を切り刃(23A)に押しつけるカム部(23C)が形成されている請求項３記載の紐用カッター。
【考案の詳細な説明】
【技術分野】
【０００１】
本考案は紐用カッターに関し、特に荷造り用の紐を片手で簡単かつ確実に切断できるようにしたカッターに関する。
【背景技術】
【０００２】
例えば、荷物を輸送する場合、荷物を包装して荷造り用の紐やロープ（以下、単に「紐」という）で梱包することが行われている。
【０００３】
この種の紐では紐をブロック状又はドーナッツ状に巻回し、この紐ブロックや紐ドーナッツ(以下、単に「紐ブロック」という）をフィルムでカバーし、この紐ブロックの内側から紐の始端を引き出して用いるような方式で市販されている。ところで、梱包し終わって紐を結ぶと、紐を切断する必要があるが、挟みやカッターナイフで紐を切ろうとすると片手で紐を押さえ、他方の手で挟みやカッターナイフを使って紐を切る必要があり、非常に繁雑であった。
【０００４】
これに対し、紐ブロックを容器内に入れ、容器から紐の始端を引き出す一方、容器にカッターを取付け又は形成し、片手で操作できるようにした紐用カッターが種々提案されている（特許文献１、特許文献２、特許文献３、特許文献４、特許文献５、特許文献６、特許文献７）。
【０００５】
【特許文献１】特開２００３−２２６３３８号公報
【特許文献２】特開２００３−２６１８３号公報
【特許文献３】特開平１０−１１４３４５号公報
【特許文献４】特開平０７−２９１２９６号公報
【特許文献５】実用新案登録第３１３４３８９号公報
【特許文献６】実用新案登録第３０７２７９８号公報
【特許文献７】実用新案登録第３０３２７２６号公報
【考案の開示】
【考案が解決しようとする課題】
【０００６】
しかし、紐を容器の引き出し穴から自由に引き出せるような大きさにすると、紐をカッターで切るときに紐の引き出し穴側の部分がフリーとなるので、切り難く、他方の手で紐の引き出し穴側の部分を押さえて保持する必要があり、煩わしい。
【０００７】
他方、引き出し穴を小さくしあるいは制動する機構を設けて紐を引き出し難くすると、今度は荷造り時に紐を引き出すのが重くなり、荷造り作業がし難くなる。
【０００８】
本考案は、かかる問題点に鑑み、紐を軽く引き出して荷造り作業を容易に行うことができ、紐を片手で簡単かつ確実に切断できるようにした紐用カッターを提供することを課題とする。
【課題を解決するための手段】
【０００９】
そこで、本考案に係る紐用カッターは、紐をブロック状に巻回してなる紐ブロックから引き出された紐を切断するのに用いる紐用カッターにおいて、上記紐ブロックを保持するホルダーと、Ｖ字状のガイド溝に紐が挿通されるとともに上記ガイド溝の下方部分で紐を挟んで紐の引き出しに対する制動を与える制動部と、上記制動部に対して進退可能に設けられ、上記紐ブロックから引き出された紐が挿通され、上記制動部に対する位置によって上記制動部における紐の引き出しに対する制動力を調整する引き出し穴部と、上記制動部を通った紐が切り刃に対して下方に引っ張られることによって紐を切断するカッター部と、を備えたことを特徴とする。
【００１０】
本考案の１つの特徴はＶ字状のガイド溝を有する制動部を設け、ガイド溝の上方部分では紐を自由に引き出せる一方、ガイド溝の下方部分では紐を挟んで紐の引っ張りを制動するようにした点にある。
【００１１】
これにより、荷造り作業中には紐をガイド溝の上方部分に挿通させることによって軽く引き出すことができ、荷造り作業を非常に楽に行うことができる。また、紐をガイド溝の下方部分に位置させることによって紐の引き出しを制動することができるので、片手で簡単に紐を切断することができる。
【００１２】
ホルダーは紐ブロックを保持することができればその形状は特に限定されず、例えば函状とすることができるが、見栄えや軽量性を考慮すると、ホルダーは上面が開放された籠形状に製作するのがよい。この場合、籠形状のホルダーの上面には取付けプレートを取外し可能に搭載し、取付けプレートには制動部、引き出し穴部及びカッター部を取付けるようにするのがよい。
【００１３】
切り刃は紐が下方に引っ張られたときに紐を切断できればよく、例えば斜め方向に延びる形状とするのがよく、しかもカッター部には紐が下方に引っ張られたときに紐を切り刃に押しつけるガイド部を設けるのがよい。
【００１４】
このガイド部は固定構造でもよいが、カッター部に回転自在に設け、紐の下方への引っ張りに応じて回転される回転プレートとし、この回転プレートにはその回転によって紐を切り刃に押しつけるカム部を形成するのがよい。
【考案を実施するための最良の形態】
【００１５】
以下、本考案を図面に示す具体例に基づいて詳細に説明する。図１ないし図４は本考案に係る紐用カッターの好ましい実施形態を示す。図において、ホルダー１０は金属ワイヤーを用いて円筒籠形状に製作され、ホルダー１０の底面には搭載プレート１０Ａが設けられ、搭載プレート１０Ａの中央にはロッド（図示せず）が起立して設けられ、紐ブロック３０が搭載されてロッドによって位置決め保持されるようになっている。
【００１６】
この籠状ホルダー１０の上面には帯状の取付けプレート２０が搭載され、取付けプレート２０の一端部には引っ掛かり部２０Ａが折り曲げ形成され、籠状ホルダー１０の上端部の金属ワイヤーに引っ掛けられ、取付けプレート２０の他端部２３Ｂは直角に折り曲げられ、その長溝には籠状ホルダー２０の上端部に取付けられたねじ２０Ｆが差し込まれ、ナット２０Ｅの締付けによって固定されるようになっている。
【００１７】
取付けプレート２０の中央には長穴２０Ｃが形成され、この長穴２０Ｃ上には引き出し筒（引き出し穴部）２１が搭載され、引き出し筒２１にはスライドプレート２１Ａが固定され、スライドプレート２１Ａには長穴が形成され、長穴には取付けプレート２０に植設されたねじ２０Ｄが挿通されてねじ２１Ｂによって締付けられ、引き出し筒２１が進退できるようになっている。
【００１８】
この引き出し筒２１の前方には制動プレート（制動部）２２が立設され、制動プレート２２にはＶ字状のガイド溝２２Ａが形成され、Ｖ字状のガイド溝２２Ａには紐３０Ａが挿通されるとともに、ガイド溝２２Ａの下方部分で紐３０Ａを挟んで紐３０Ａの引き出しに対する制動を与えるようになっている。
【００１９】
引き出し筒２１は制動プレート２２に対して進退され、制動プレート２２に対する位置によって制動プレート２２における紐３０Ａの引き出しに対する制動力を調整できるようになっている。例えば、紐３０Ａが太い場合には引き出し筒２１を制動プレート２２から離れていても紐３０Ａがガイド溝２２Ａの下方部位で挟まれて制動することができるが、紐３０Ａがテープのように細い場合には引き出し筒２１を制動プレート２２に接近させることによってガイド溝２２Ａの下方のより狭い部位で挟まれて必要な制動を確保することができる。
【００２０】
制動プレート２２の前方にはカッタープレート２３が立設され、カッタープレート２３にはＶ字状の溝２３Ｅが形成され、溝２３Ｅの一方にはカッター刃（切り刃）２３Ａが傾斜して固定され、カッタープレート２３の溝２３Ｅの他方の側縁には回転プレート２３Ｂが取付けねじ（取付けピンでもよい）２３Ｆの廻りに回転自在に設けられ、ばね２３Ｄによって回転付勢されている。
【００２１】
この回転プレート２３Ｂには円弧状のカム部２３Ｃとフック部２３Ｇが形成され、制動プレート２２のガイド溝２３Ａを挿通した紐３０Ａがフック部２３Ｇに引っ掛けられ、紐が３０Ａが下方に引っ張られることによって回転プレート２３Ｂが回転し、回転プレート２３Ｂのカム部２３Ｃが紐３０Ａ側方のカッター刃２３Ａに押しつけて紐が切断されるようになっている。
【００２２】
なお、回転プレート２３Ｂはカッタープレート２３の両側方に設けてもよく、カッタープレート２３の一側方に回転プレート２３Ｂを設け、他側方（制動プレート２２側）にカッター刃２３Ａとの間隔が下方になるほど狭くなるガイド部材、例えば下記の第２実施形態におけるガイドプレート２３Ｂ’に類似する部材を設けることもできる。
【００２３】
本例の紐用カッターを用いる場合、紐ブロック３０から紐３０Ａを引き出し、引き出し筒２１及び制動プレート２２のガイド溝２２Ａに通す。
【００２４】
荷物を包装して紐３０Ａで梱包する場合、紐３０Ａを制動プレート２２のガイド溝２２Ａの上方部位に位置させ、紐３０Ａをフリーな状態とし、紐３０Ａの先端をもって引き出す。すると、図２に示されるように、紐３０Ａはフリーな状態であるので、軽く引き出すことができ、荷物を非常に容易に梱包することができる。
【００２５】
紐３０Ａを結んだ後、図３に示されるように、紐３０Ａをカッタープレート２３の溝２３Ｅに沿って下方に引っ張ると、引き出し筒２１を通った紐３０Ａが制動プレート２２のガイド溝２２Ａの下方部位に位置され、ガイド溝２２Ａによって挟まれて紐３０Ａの引っ張りに対する抵抗になるので、図４に示されるように、紐３０Ａは回転プレート２３Ｂのフック部２３Ｇに引っ掛かり、回転プレート２３Ｂがばね２３Ｄの付勢力に抗して取付けねじ２３Ｆの廻りに回転され、紐３０Ａをカッター刃２３Ａの押しつけ、紐３０Ａを切断することができるので、片手で簡単に紐３０Ａを切断することができる。
【００２６】
紐３０Ａが切断されると、ばね２３Ｄの付勢力によって元の状態に回転復帰する。
【００２７】
図５ないし図８は第２の実施形態を示し、図において図１ないし図４と同一符号は同一又は相当部分を示す。本例では回転プレート２３Ｂを備えたカッタープレート２３ではなく、固定式のガイドプレート２３Ｂ’を用いている。この固定式のガイドプレート２３Ｂには下方になるほどカッター刃２３Ａ’に接近するように傾斜したカム部２３Ｃ’が形成されている。
【００２８】
荷物を包装して紐３０Ａで梱包する場合、紐３０Ａを制動プレート２２のガイド溝２２Ａの上方部位に位置させ、紐３０Ａをフリーな状態とし、紐３０Ａの先端をもって引き出す。すると、図６に示されるように、紐３０Ａはフリーな状態であるので、軽く引き出すことができ、荷物を非常に容易に梱包することができる。
【００２９】
紐３０Ａを結んだ後、図７に示されるように、紐３０Ａをカッタープレート２３’のガイドプレート２３Ｂ’のカム部２３Ｃ’に沿って下方に引っ張ると、引き出し筒２１を通った紐３０Ａが制動プレート２２のガイド溝２２Ａの下方部位に位置され、ガイド溝２２Ａによって挟まれて紐３０Ａの引っ張りに対する抵抗になるので、図８に示されるように、紐３０Ａはカッター刃２３Ａ’に押しつけられ、紐３０Ａを切断することができるので、片手で簡単に紐３０Ａを切断することができる。
【図面の簡単な説明】
【００３０】
【図１】本考案に係る紐用カッターの好ましい実施形態を示す全体構成斜視図である。
【図２】上記実施形態における荷造り作業中の状態を示す斜視図である。
【図３】上記実施形態における紐の切断前の状態を示す斜視図である。
【図４】上記実施形態における紐の切断時の状態を示す斜視図である。
【図５】第２の実施形態を示す全体構成斜視図である。
【図６】上記実施形態における荷造り作業中の状態を示す斜視図である。
【図７】上記実施形態における紐の切断前の状態を示す斜視図である。
【図８】上記実施形態における紐の切断時の状態を示す斜視図である。
【符号の説明】
【００３１】
１０            籠状ホルダー
２１            引き出し筒（引き出し穴部）
２２            制動プレート（制動部）
２２Ａ          ガイド溝
２３            カッタープレート
２３Ａ、２３Ａ’          カッター刃（切り刃）
２３Ｂ、２３Ｂ’          ガイドプレート
２３Ｃ、２３Ｃ’          カム部
３０            紐ブロック
３０Ａ          紐
【図１】
0003139908.tif 000003
【図２】
0003139908.tif 000004
【図３】
0003139908.tif 000005
【図４】
0003139908.tif 000006
【図５】
0003139908.tif 000007
【図６】
0003139908.tif 000008
【図７】
0003139908.tif 000009
【図８】
0003139908.tif 000010